(57)【特許請求の範囲】
【請求項１】
開口部が形成された容器と、
前記容器の前記開口部を覆うよう前記容器に接合された蓋と、を備え、
前記容器は、底面と、前記底面の外縁に沿って一周にわたって広がるよう前記底面から立設された側面と、前記側面の上部に連設されたフランジ部と、を有し、
前記フランジ部は、一周にわたって連続的に前記側面に連設された内側部分と、前記内側部分の外側に位置する外側部分と、前記内側部分と前記外側部分とを連結する連結部分と、を含み、
前記内側部分は、一周にわたって連続的に前記側面に連設された内側本体部と、前記内側本体部の外側の端部よりも外側へ突出した複数の外方突起部と、を有し、
前記複数の外方突起部は、一周にわたって周方向に連続的に延びる前記内側本体部に沿って間隔を空けて並ぶよう配置されており、
前記連結部分の一端は、前記内側部分のうち、前記外方突起部の外側の端部以外の部分に連結されており、前記連結部分の他端は、前記外側部分に連結されており、
前記蓋は、前記内側部分の前記内側本体部の上面に、一周にわたって連続的に接合されており、かつ、前記外側部分の上面に、少なくとも部分的に接合されており、
前記外側部分は、一周にわたって連続的または断続的に延びる外側本体部と、前記外側本体部の内側の端部よりも内側へ突出した複数の内方突起部と、を有し、
前記複数の内方突起部は、間隔を空けて並ぶよう配置されており、
前記外側部分の前記内方突起部の周方向における長さは、前記内側部分の前記複数の外方突起部のうち隣接する２つの外方突起部の間の、周方向における間隔よりも小さくなっており、
前記外側部分の前記内方突起部の内側の端部は、少なくとも部分的に、前記内側部分の前記外方突起部の外側の端部よりも内側に位置しており、
前記外側部分の前記内方突起部の上面は、少なくとも部分的に、前記内側部分の前記外方突起部の上面よりも下方に位置している、蓋付容器。
【請求項２】
前記連結部分の一端は、前記内側部分の前記外方突起部の周方向における端部に連結されている、請求項１に記載の蓋付容器。
【請求項３】
前記連結部分の一端は、前記内側部分の前記内側本体部に連結されている、請求項１に記載の蓋付容器。
【請求項４】
前記内側部分の前記内側本体部の上面と、前記外側部分の上面とは、少なくとも部分的に同一平面上に位置している、請求項１乃至３のいずれか一項に記載の蓋付容器。
【請求項５】
前記外方突起部の上面は、前記内側本体部の上面よりも下方に位置している、請求項１乃至４のいずれか一項に記載の蓋付容器。
【請求項６】
開口部が形成された容器と、
前記容器の前記開口部を覆うよう前記容器に接合された蓋と、を備え、
前記容器は、底面と、前記底面の外縁に沿って一周にわたって広がるよう前記底面から立設された側面と、前記側面の上部に連設されたフランジ部と、を有し、
前記フランジ部は、一周にわたって連続的に前記側面に連設された内側部分と、前記内側部分の外側に位置する外側部分と、前記内側部分と前記外側部分とを連結する連結部分と、を含み、
前記内側部分は、一周にわたって連続的に前記側面に連設された内側本体部と、前記内側本体部の外側の端部よりも外側へ突出した複数の外方突起部と、を有し、
前記複数の外方突起部は、一周にわたって周方向に連続的に延びる前記内側本体部に沿って間隔を空けて並ぶよう配置されており、
前記連結部分の一端は、前記内側部分のうち、前記外方突起部の外側の端部以外の部分に連結されており、前記連結部分の他端は、前記外側部分に連結されており、
前記蓋は、前記内側部分の前記内側本体部の上面に、一周にわたって連続的に接合されており、かつ、前記外側部分の上面に、少なくとも部分的に接合されており、
前記外方突起部の上面は、前記内側本体部の上面よりも下方に位置している、蓋付容器。
【請求項７】
前記外側部分の前記内方突起部の上面は、前記内方突起部の内側端部に向かって下方に傾斜する傾斜面を含む、請求項１乃至５のいずれか一項に記載の蓋付容器。
【請求項８】
開口部が形成された容器と、
前記容器の前記開口部を覆うよう前記容器に接合された蓋と、を備え、
前記容器は、底面と、前記底面の外縁に沿って一周にわたって広がるよう前記底面から立設された側面と、前記側面の上部に連設されたフランジ部と、を有し、
前記フランジ部は、一周にわたって連続的に前記側面に連設された内側部分と、前記内側部分の外側に位置する外側部分と、前記内側部分と前記外側部分とを連結する連結部分と、を含み、
前記内側部分は、一周にわたって連続的に前記側面に連設された内側本体部と、前記内側本体部の外側の端部よりも外側へ突出した複数の外方突起部と、を有し、
前記複数の外方突起部は、一周にわたって周方向に連続的に延びる前記内側本体部に沿って間隔を空けて並ぶよう配置されており、
前記連結部分の一端は、前記内側部分のうち、前記外方突起部の外側の端部以外の部分に連結されており、前記連結部分の他端は、前記外側部分に連結されており、
前記蓋は、前記内側部分の前記内側本体部の上面に、一周にわたって連続的に接合されており、かつ、前記外側部分の上面に、少なくとも部分的に接合されており、
前記外側部分は、一周にわたって連続的または断続的に延びる外側本体部と、前記外側本体部の内側の端部よりも内側へ突出した複数の内方突起部と、を有し、
前記複数の内方突起部は、間隔を空けて並ぶよう配置されており、
前記外側部分の前記内方突起部の周方向における長さは、前記内側部分の前記複数の外方突起部のうち隣接する２つの外方突起部の間の、周方向における間隔よりも小さくなっており、
前記外側部分の前記内方突起部の内側の端部は、少なくとも部分的に、前記内側部分の前記外方突起部の外側の端部よりも内側に位置しており、
前記外側部分の前記内方突起部の上面は、前記内方突起部の内側端部に向かって下方に傾斜する傾斜面を含む、蓋付容器。
【請求項９】
前記外側部分の前記内方突起部の上面は、少なくとも部分的に、前記内側部分の前記外方突起部の上面よりも下方に位置している、請求項８に記載の蓋付容器。
【請求項１０】
前記外側部分の前記内方突起部の上面は、少なくとも部分的に、前記内側部分の前記外方突起部の下面よりも下方に位置している、請求項１乃至５及び７乃至９のいずれか一項に記載の蓋付容器。
【請求項１１】
前記連結部分の他端は、前記外側部分の前記内方突起部に連結されている、請求項１乃至５及び７乃至１０のいずれか一項に記載の蓋付容器。
【請求項１２】
前記内側部分の前記外方突起部または前記外側部分の前記内方突起部の少なくともいずれかには、前記外側部分が接合された状態の前記蓋が前記容器に対して周方向に回転することを制限するための係止部が設けられている、請求項１乃至５及び７乃至１１のいずれか一項に記載の蓋付容器。
【請求項１３】
開口部が形成された容器と、
前記容器の前記開口部を覆うよう前記容器に接合された蓋と、を備え、
前記容器は、底面と、前記底面の外縁に沿って一周にわたって広がるよう前記底面から立設された側面と、前記側面の上部に連設されたフランジ部と、を有し、
前記フランジ部は、一周にわたって連続的に前記側面に連設された内側部分と、前記内側部分の外側に位置する外側部分と、前記内側部分と前記外側部分とを連結する連結部分と、を含み、
前記内側部分は、一周にわたって連続的に前記側面に連設された内側本体部と、前記内側本体部の外側の端部よりも外側へ突出した複数の外方突起部と、を有し、
前記複数の外方突起部は、一周にわたって周方向に連続的に延びる前記内側本体部に沿って間隔を空けて並ぶよう配置されており、
前記連結部分の一端は、前記内側部分のうち、前記外方突起部の外側の端部以外の部分に連結されており、前記連結部分の他端は、前記外側部分に連結されており、
前記蓋は、前記内側部分の前記内側本体部の上面に、一周にわたって連続的に接合されており、かつ、前記外側部分の上面に、少なくとも部分的に接合されており、
前記外側部分は、一周にわたって連続的または断続的に延びる外側本体部と、前記外側本体部の内側の端部よりも内側へ突出した複数の内方突起部と、を有し、
前記複数の内方突起部は、間隔を空けて並ぶよう配置されており、
前記外側部分の前記内方突起部の周方向における長さは、前記内側部分の前記複数の外方突起部のうち隣接する２つの外方突起部の間の、周方向における間隔よりも小さくなっており、
前記外側部分の前記内方突起部の内側の端部は、少なくとも部分的に、前記内側部分の前記外方突起部の外側の端部よりも内側に位置しており、
前記内側部分の前記外方突起部または前記外側部分の前記内方突起部の少なくともいずれかには、前記外側部分が接合された状態の前記蓋が前記容器に対して周方向に回転することを制限するための係止部が設けられている、蓋付容器。
【請求項１４】
前記外側部分は、前記内側部分の前記内側本体部の下面よりも下方に位置する補強部を有する、請求項１乃至１３のいずれか一項に記載の蓋付容器。
【請求項１５】
開口部が形成された容器と、
前記容器の前記開口部を覆うよう前記容器に接合された蓋と、を備え、
前記容器は、底面と、前記底面の外縁に沿って一周にわたって広がるよう前記底面から立設された側面と、前記側面の上部に連設されたフランジ部と、を有し、
前記フランジ部は、一周にわたって連続的に前記側面に連設された内側部分と、前記内側部分の外側に位置する外側部分と、前記内側部分と前記外側部分とを連結する連結部分と、を含み、
前記内側部分は、一周にわたって連続的に前記側面に連設された内側本体部と、前記内側本体部の外側の端部よりも外側へ突出した複数の外方突起部と、を有し、
前記複数の外方突起部は、一周にわたって周方向に連続的に延びる前記内側本体部に沿って間隔を空けて並ぶよう配置されており、
前記連結部分の一端は、前記内側部分のうち、前記外方突起部の外側の端部以外の部分に連結されており、前記連結部分の他端は、前記外側部分に連結されており、
前記蓋は、前記内側部分の前記内側本体部の上面に、一周にわたって連続的に接合されており、かつ、前記外側部分の上面に、少なくとも部分的に接合されており、
前記外側部分は、前記内側部分の前記内側本体部の下面よりも下方に位置する補強部を有する、蓋付容器。
【請求項１６】
前記外側部分は、前記内側部分の前記内側本体部の上面よりも上方に位置するとともに前記蓋よりも外側に位置する壁部を有する、請求項１乃至１５のいずれか一項に記載の蓋付容器。
【請求項１７】
開口部が形成された容器と、
前記容器の前記開口部を覆うよう前記容器に接合された蓋と、を備え、
前記容器は、底面と、前記底面の外縁に沿って一周にわたって広がるよう前記底面から立設された側面と、前記側面の上部に連設されたフランジ部と、を有し、
前記フランジ部は、一周にわたって連続的に前記側面に連設された内側部分と、前記内側部分の外側に位置する外側部分と、前記内側部分と前記外側部分とを連結する連結部分と、を含み、
前記内側部分は、一周にわたって連続的に前記側面に連設された内側本体部と、前記内側本体部の外側の端部よりも外側へ突出した複数の外方突起部と、を有し、
前記複数の外方突起部は、一周にわたって周方向に連続的に延びる前記内側本体部に沿って間隔を空けて並ぶよう配置されており、
前記連結部分の一端は、前記内側部分のうち、前記外方突起部の外側の端部以外の部分に連結されており、前記連結部分の他端は、前記外側部分に連結されており、
前記蓋は、前記内側部分の前記内側本体部の上面に、一周にわたって連続的に接合されており、かつ、前記外側部分の上面に、少なくとも部分的に接合されており、
前記外側部分は、前記内側部分の前記内側本体部の上面よりも上方に位置するとともに前記蓋よりも外側に位置する壁部を有する、蓋付容器。
【請求項１８】
前記蓋と前記外側部分の上面との間の接合力が、前記蓋と前記内側部分との間の接合力よりも大きくなっている、請求項１乃至１７のいずれか一項に記載の蓋付容器。
【請求項１９】
開口部が形成された容器であって、
底面と、前記底面の外縁に沿って一周にわたって広がるよう前記底面から立設された側面と、前記側面の上部に連設されたフランジ部と、を有し、
前記フランジ部は、一周にわたって連続的に前記側面に連設された内側部分と、前記内側部分の外側に位置する外側部分と、前記内側部分と前記外側部分とを連結する連結部分と、を含み、
前記内側部分は、一周にわたって連続的に前記側面に連設された内側本体部と、前記内側本体部の外側の端部よりも外側へ突出した複数の外方突起部と、を有し、
前記複数の外方突起部は、一周にわたって周方向に連続的に延びる前記内側本体部に沿って間隔を空けて並ぶよう配置されており、
前記連結部分の一端は、前記内側部分のうち、前記外方突起部の外側の端部以外の部分に連結されており、前記連結部分の他端は、前記外側部分に連結されており、
前記外側部分は、一周にわたって連続的または断続的に延びる外側本体部と、前記外側本体部の内側の端部よりも内側へ突出した複数の内方突起部と、を有し、
前記複数の内方突起部は、間隔を空けて並ぶよう配置されており、
前記外側部分の前記内方突起部の周方向における長さは、前記内側部分の前記複数の外方突起部のうち隣接する２つの外方突起部の間の、周方向における間隔よりも小さくなっており、
前記外側部分の前記内方突起部の内側の端部は、少なくとも部分的に、前記内側部分の前記外方突起部の外側の端部よりも内側に位置しており、
前記外側部分の前記内方突起部の上面は、少なくとも部分的に、前記内側部分の前記外方突起部の上面よりも下方に位置している、容器。
【発明の詳細な説明】
【技術分野】
【０００１】
本発明は、開口部が形成された容器と、容器の開口部を覆うよう容器に接合された蓋と、を備えた蓋付容器に関する。
【背景技術】
【０００２】
近年、食品や化成品等を収容する容器の開口部を覆うために容器に接合される蓋として、蓋をいったん容器から取り外した後にも、容器の開口部を安定に覆うことができるよう構成されたものが提案されている。例えば特許文献１には、トレーおよびトレーから分離可能に構成されたカバー枠を有する容器と、トレーの上面およびカバー枠の上面に溶着されたカバーフォイルと、を備える蓋付容器が開示されている。この蓋付容器は、トレーからカバーフォイルを取り外すと、カバーフォイルとともにカバー枠もトレーから取り外されるように構成されている。またカバー枠は、トレーに対してスナップ止めされ得るよう構成されている。このため、トレーから取り外されたカバーフォイルを再びトレーに被せ、そしてカバーフォイルに溶着されているカバー枠をトレーに対してスナップ止めによって固定することにより、容器の開口部を再び安定に覆うことができる。
【先行技術文献】
【特許文献】
【０００３】
【特許文献１】特表２０１４−５０２５８４号公報
【発明の概要】
【発明が解決しようとする課題】
【０００４】
上述の特許文献１において、カバーフォイルが溶着される前の状態の容器のカバー枠は、カバー枠の上面がトレーの上面よりも上方に位置するよう、複数の孔を有するプラスチックフィルムによってトレーに連結されている。このため、トレーからカバーフォイルを取り外すと、トレーの外側の端部にばりが発生し、ばりによって使用者の指が傷ついてしまうことが考えられる。
【０００５】
本発明は、このような課題を効果的に解決し得る蓋付容器を提供することを目的とする。
【課題を解決するための手段】
【０００６】
本発明は、開口部が形成された容器と、前記容器の前記開口部を覆うよう前記容器に接合された蓋と、を備え、前記容器は、底面と、前記底面の外縁に沿って一周にわたって広がるよう前記底面から立設された側面と、前記側面の上部に連設されたフランジ部と、を有し、前記フランジ部は、一周にわたって連続的に前記側面に連設された内側部分と、前記内側部分の外側に位置する外側部分と、前記内側部分と前記外側部分とを連結する連結部分と、を含み、前記内側部分は、一周にわたって連続的に前記側面に連設された内側本体部と、前記内側本体部の外側の端部よりも外側へ突出した複数の外方突起部と、を有し、前記複数の外方突起部は、一周にわたって周方向に連続的に延びる前記内側本体部に沿って間隔を空けて並ぶよう配置されており、前記連結部分の一端は、前記内側部分のうち、前記外方突起部の外側の端部以外の部分に連結されており、前記連結部分の他端は、前記外側部分に連結されており、前記蓋は、前記内側部分の前記内側本体部の上面に、一周にわたって連続的に接合されており、かつ、前記外側部分の上面に、少なくとも部分的に接合されている、蓋付容器である。
【０００７】
本発明による蓋付容器において、前記連結部分の一端は、前記内側部分の前記外方突起部の周方向における端部に連結されていてもよい。
【０００８】
本発明による蓋付容器において、前記連結部分の一端は、前記内側部分の前記内側本体部に連結されていてもよい。
【０００９】
本発明による蓋付容器において、前記内側部分の前記内側本体部の上面と、前記外側部分の上面とは、少なくとも部分的に同一平面上に位置していてもよい。
【００１０】
本発明による蓋付容器において、前記外方突起部の上面は、前記内側本体部の上面よりも下方に位置していてもよい。
【００１１】
本発明による蓋付容器において、前記外側部分は、一周にわたって連続的または断続的に延びる外側本体部と、前記外側本体部の内側の端部よりも内側へ突出した複数の内方突起部と、を有していてもよい。この場合、前記複数の内方突起部は、間隔を空けて並ぶよう配置されており、前記外側部分の前記内方突起部の周方向における長さは、前記内側部分の前記複数の外方突起部のうち隣接する２つの外方突起部の間の、周方向における間隔よりも小さくなっており、前記外側部分の前記内方突起部の上面は、少なくとも部分的に、前記内側部分の前記外方突起部の下面よりも下方に位置しており、かつ、前記外側部分の前記内方突起部の内側の端部は、少なくとも部分的に、前記内側部分の前記外方突起部の外側の端部よりも内側に位置している。
【００１２】
本発明による蓋付容器において、前記外側部分の前記内方突起部の上面は、少なくとも部分的に、前記内側部分の前記外方突起部の上面よりも下方に位置していてもよい。
【００１３】
本発明による蓋付容器において、前記外側部分の前記内方突起部の上面は、前記内方突起部の内側端部に向かって下方に傾斜する傾斜面を含んでいてもよい。
【００１４】
本発明による蓋付容器において、前記外側部分の前記内方突起部の上面は、少なくとも部分的に、前記内側部分の前記外方突起部の下面よりも下方に位置していてもよい。
【００１５】
本発明による蓋付容器において、前記連結部分の他端は、前記外側部分の前記内方突起部に連結されていてもよい。
【００１６】
本発明による蓋付容器において、前記内側部分の前記外方突起部または前記外側部分の前記内方突起部の少なくともいずれかには、前記外側部分が接合された状態の前記蓋が前記容器に対して周方向に回転することを制限するための係止部が設けられていてもよい。
【００１７】
本発明による蓋付容器において、前記外側部分は、前記内側部分の前記内側本体部の下面よりも下方に位置する補強部を有していてもよい。
【００１８】
本発明による蓋付容器において、前記外側部分は、前記内側部分の前記内側本体部の上面よりも上方に位置するとともに前記蓋よりも外側に位置する壁部を有していてもよい。
【００１９】
本発明による蓋付容器において、前記蓋と前記外側部分の上面との間の接合力が、前記蓋と前記内側部分との間の接合力よりも大きくなっていてもよい。
【００２０】
本発明は、開口部が形成された容器であって、底面と、前記底面の外縁に沿って一周にわたって広がるよう前記底面から立設された側面と、前記側面の上部に連設されたフランジ部と、を有し、前記フランジ部は、一周にわたって連続的に前記側面に連設された内側部分と、前記内側部分の外側に位置する外側部分と、前記内側部分と前記外側部分とを連結する連結部分と、を含み、前記内側部分は、一周にわたって連続的に前記側面に連設された内側本体部と、前記内側本体部の外側の端部よりも外側へ突出した複数の外方突起部と、を有し、前記複数の外方突起部は、一周にわたって周方向に連続的に延びる前記内側本体部に沿って間隔を空けて並ぶよう配置されており、前記連結部分の一端は、前記内側部分のうち、前記外方突起部の外側の端部以外の部分に連結されており、前記連結部分の他端は、前記外側部分に連結されている、容器である。
【発明の効果】
【００２１】
本発明による容器のフランジ部において、内側部分および外側部分は、連結部分によって連結されている。そして蓋は、フランジ部の少なくとも外側部分の上面に接合されている。このことにより、容器の連結部分を破断させることによって蓋が取り外された後の容器に、蓋を再び被せることにより、容器を再封することができる。従って、再封性を有する蓋付容器を提供することができる。また本発明において、フランジ部の内側部分は、一周にわたって連続的に容器の側面に連設された内側本体部と、内側本体部の外側の端部よりも外側へ突出するとともに、内側本体部に沿って間隔を空けて並ぶよう配置された複数の外方突起部と、を有している。また連結部分の一端は、内側部分のうち、外方突起部の外側の端部以外の部分に連結されている。このため、連結部分を破断させた後に形成され得るばりは、内側部分のうち、外方突起部の外側の端部以外の部分に生じるようになる。従って、使用者が開封された容器を保持する際に使用者の指がばりによって傷ついてしまうことを抑制することができる。
【図面の簡単な説明】
【００２２】
【図１】図１は、本発明の実施の形態における蓋付容器を構成する部材の分解図。
【図２】図２は、図１に示す蓋付容器の、II-II線に沿った断面図。
【図３】図３は、容器のフランジ部の内側部分の外方突起部を通らないよう切断された蓋付容器の断面図であって、図１の線IIIに沿った断面図。
【図４】図４は、容器のフランジ部の内側部分の外方突起部を通るよう切断された蓋付容器の断面図であって、図１の線IVに沿った断面図。
【図５】図５は、内側部分と外側部分とを連結する連結部分を拡大して示す斜視図であって、図１の符号Vが付された二点鎖線によって囲まれた部分を拡大して示す斜視図。
【図６】図６は、容器から蓋が取り外された状態を示す図。
【図７】図７は、蓋によって開封容器の開口部が再び覆われている状態を示す図。
【図８】図８は、破断された連結部分からなるばりが形成された部分を拡大して示す斜視図。
【図９】図９は、本発明の実施の形態の一変形例における蓋付容器を示す平面図。
【図１０】図１０は、容器のフランジ部の外側部分の内方突起部を通るよう切断された蓋付容器の断面図であって、図９の線Xに沿った断面図。
【図１１】図１１は、図９に示す蓋付容器の連結部分を拡大して示す斜視図。
【図１２】図１２は、図９に示す蓋付容器から蓋を取り外した後、開封容器を蓋で再封している様子を示す平面図。
【図１３】図１３は、図１２の線XIIIに沿った断面図。
【図１４】図１４は、傾斜した上面を有する内方突起部を備えた蓋付容器を示す断面図。
【図１５】図１５は、傾斜した下面を有する外方突起部を備えた蓋付容器を示す断面図。
【図１６】図１６は、傾斜した上面を有する内方突起部を備えた蓋付容器を示す断面図。
【図１７】図１７は、本発明の実施の形態の一変形例における蓋付容器を示す平面図。
【図１８】図１８は、容器のフランジ部の連結部分を通るよう切断された蓋付容器の断面図であって、図１７の線XVIIIに沿った断面図。
【図１９】図１９は、図１７に示す連結部分を拡大して示す平面図。
【図２０】図２０は、本発明の実施の形態の一変形例における蓋付容器を示す平面図。
【図２１】図２１は、本発明の実施の形態における容器の一変形例を示す図。
【図２２】図２２は、本発明の実施の形態における容器の一変形例を示す図。
【図２３】図２３は、本発明の実施の形態における容器の一変形例を示す図。
【図２４】図２４は、本発明の実施の形態における容器の一変形例を示す図。
【図２５】図２５は、本発明の実施の形態における容器の一変形例を示す図。
【図２６】図２６は、本発明の実施の形態における容器の一変形例を示す図。
【発明を実施するための形態】
【００２３】
以下、図１乃至図８を参照して、本発明の実施の形態について説明する。まず図１および図２を参照して、本実施の形態における蓋付容器１０全体について説明する。
【００２４】
（蓋付容器）
図１は、蓋付容器１０を構成する部材の分解図であり、図２は、図１に示す蓋付容器をII-II線に沿って切断した場合を示す縦断面図である。蓋付容器１０は、開口部２８が形成された容器２０と、容器２０の開口部２８を覆うよう容器２０に接合された蓋５０と、を備えている。なお本明細書において、「接合」とは、溶着および接着の両方を含む概念である。「溶着」とは、容器２０または蓋５０の少なくともいずれかを少なくとも部分的に溶融させることによって、蓋５０を容器２０に取り付けることを意味している。また「接着」とは、接着剤などの、容器２０および蓋５０とは別個の構成要素を用いて、蓋５０を容器２０に取り付けることを意味している。
【００２５】
また本明細書において、「蓋付容器」とは、特に断らない限り、容器２０に蓋５０を接合した後、まだ一度も蓋５０が取り外されていない状態を意味している。言い換えると、蓋付容器１０は、後述する連結部分４０が破断されていない状態の容器２０と、容器２０に接合された蓋５０と、を備えている。また以下の説明において、連結部分４０を破断させることによって蓋５０が取り外された後の容器２０のことを、開封容器２１と称することもある。
【００２６】
（容器）
次に容器２０について説明する。図１および図２に示すように、容器２０は、底面２２と、底面２２の外縁２２ｅに沿って一周にわたって広がるよう底面２２から立設された側面２４と、側面２４の上部に連設されたフランジ部２６と、を有している。上述の蓋５０は、容器２０のフランジ部２６に接合される。図１および図２においては、フランジ部２６が側面２４の上縁に連設され、外側に向かって水平方向に延びる例が示されている。なお本明細書において、「側面」、「上部」、「上縁」や後述する「上面」、「下面」、「水平方向」などの用語は、容器２０の底面２２が下方に位置するように蓋付容器１０や容器２０が載置されている状態を基準として蓋付容器１０、容器２０、蓋５０やそれらの構成要素の位置や方向を表すものである。
【００２７】
図１および図２においては、開口部２８が水平方向において円形状の輪郭を有するよう容器２０の底面２２および側面２４が構成される例が示されている。しかしながら、所望の内容物を容器２０に収容することができる限りにおいて、容器２０の形状が特に限られることはない。例えば開口部２８は、水平方向において矩形状や多角形状の輪郭を有していてもよい。また底面２２の輪郭とフランジ部２６および蓋５０の輪郭とは、相似形であってもよく、相似していなくてもよい。
【００２８】
容器２０に収容される内容物は特には限られないが、内容物の例としては例えばナッツなどのおつまみ、ドライフルーツ、惣菜、お菓子等を挙げることができる。ところで後述するように、本実施の形態による蓋付容器１０は、連結部分４０を破断させることによって蓋５０が取り外された後の開封容器２１に、蓋５０を再び被せることにより、蓋５０を利用して開封容器２１の開口部２８を覆うことができること、すなわち再封性を有することを特徴としている。また後述するように、本実施の形態による蓋付容器１０は、使用者が開封された容器を保持する際に使用者の指がばりによって傷ついてしまうことを抑制することができることをさらなる特徴としている。また後述するように、本実施の形態による蓋付容器１０は、初期密封性に優れることをさらなる特徴としている。なお「初期密封性」とは、蓋付容器１０における、すなわち容器２０に蓋５０を接合した後にまだ一度も蓋５０が取り外されていない状態における、容器２０のフランジ部２６と蓋５０との間の密着性を意味している。
【００２９】
〔フランジ部〕
以下、容器２０のフランジ部２６について詳細に説明する。図１に示すように、フランジ部２６は、一周にわたって連続的に側面２４に連設された内側部分３０と、内側部分３０の外側に位置する外側部分３５と、内側部分３０と外側部分３５とを連結する連結部分４０と、を含んでいる。なお本明細書において、「外側」とは、水平方向において容器２０の開口部２８から遠い側を意味している。また「内側」とは、水平方向において容器２０の開口部２８から近い側を意味している
【００３０】
後述するように、本実施の形態による蓋付容器１０は、容器２０の連結部分４０を破断させて容器２０から蓋５０を取り外すとき、蓋５０とともに外側部分３５が容器２０（開封容器２１）から取り外されるよう、構成されている。従って蓋付容器１０の状態において、蓋５０は、外側部分３５の上面に少なくとも部分的に接合されている。
【００３１】
図１に示すように、内側部分３０は、一周にわたって連続的に側面２４に連設された内側本体部３１と、内側本体部３１の外側の端部（以下、外側端部とも称する）３１ｅよりも外側へ突出した複数の外方突起部３２と、を有している。そして蓋５０の下面５０ｂは、少なくとも内側部分３０の内側本体部３１の上面３１ａに、一周にわたって連続的に接合されている。このように容器２０のフランジ部２６および蓋５０を構成することにより、容器２０を密封することができる。
【００３２】
図１に示すように、外側部分３５は、一周にわたって連続的に延びる外側本体部３６を有している。外側部分３５が蓋５０に少なくとも部分的に接合された状態を維持しながら、蓋５０を容器２０から取り外すことができる限りにおいて、蓋５０の下面５０ｂと外側部分３５との間における接合の具体的な状態が特に限られることはない。例えば、蓋５０の下面５０ｂは、外側本体部３６の上面３６ａに、一周にわたって連続的に接合されていてもよい。若しくは、蓋５０の下面５０ｂは、外側本体部３６の上面３６ａに部分的に接合されていてもよい。
【００３３】
ところで、容器２０の外側部分３５と蓋５０との間の接合力が、容器２０のその他の部分と蓋５０との間の接合力、例えば内側部分３０と蓋５０との間の接合力よりも小さい場合、容器２０から蓋５０を取り外すために容器２０のフランジ部２６の端部２６ｅに力を加えるとき、蓋５０が内側部分３０から剥がれるよりも前に蓋５０が外側部分３５から、例えば外側本体部３６の上面３６ａから剥がれてしまうことが考えられる。この点を考慮し、好ましくは、蓋５０と外側部分３５との間の接合力が、蓋５０と内側部分３０との間の接合力よりも大きくなるよう、蓋付容器１０が構成されている。これによって、容器２０から蓋５０を取り外す際に蓋５０が外側部分３５から剥がれてしまうことを抑制することができる。
【００３４】
蓋５０と、フランジ部２６の内側部分３０および外側部分３５との間の接合力は、例えば、テンシロン引張試験機（例えば、株式会社オリエンテック製、ＲＴＣ−１３１０Ａ）を用いて測定することができる。以下、接合力を測定する手順の一例について説明する。
まず、蓋５０とフランジ部２６とが接合されたサンプルを、所定の幅、例えば１５ｍｍ幅にカットする。次に、蓋５０の一部分をフランジ部２６から剥離させ、テンシロンの一方のつかみ治具で蓋５０の一部分を挟み、他方のつかみ治具でフランジ部２６を挟む。その後、引張速度３００ｍｍ／ｍｉｎで、蓋５０の一部分とフランジ部２６とがなす角が１８０°になるように引っ張る。そして、蓋５０のその他の部分がフランジ部２６の各部分から剥離される際に計測される荷重の最大値を、蓋５０とフランジ部２６の各部分との間の接合力とする。
なお、蓋５０とフランジ部２６とが接合していない部分が予めサンプルに含まれる場合は、荷重を測定する前に蓋５０とフランジ部２６とを部分的に剥離させる作業を省略してもよい。
上記の測定方法を用いて接合力を算出したときに、蓋５０と外側部分３５の例えば外側本体部３６の上面３６ａとの間の接合力は、２０Ｎより大きいことが好ましく、３０Ｎより大きいことがさらに好ましく、蓋５０と内側部分３０の例えば内側本体部３１の上面３１ａとの間の接合力は、２０Ｎ以下となることが好ましく、１５Ｎ以下となることがより好ましい。
【００３５】
蓋５０と外側部分３５との間の接合力を、蓋５０と内側部分３０との間の接合力よりも大きくするための具体的な構成や方法が特に限られることはない。例えば、外側部分３５の例えば外側本体部３６の上面３６ａのうち蓋５０に接合される部分の面積や幅を、内側部分３０の例えば内側本体部３１の上面３１ａのうち蓋５０に接合される部分の面積や幅よりも大きくすることが考えられる。また、加熱に起因する溶着によって蓋５０をフランジ部２６に接合する場合、蓋５０を外側部分３５の例えば外側本体部３６の上面３６ａに溶着させる際の温度を、蓋５０を内側部分３０の例えば内側本体部３１の上面３１ａに溶着させる際の温度よりも高くしてもよい。
【００３６】
次に、図３および図４を参照して、内側部分３０および外側部分３５について詳細に説明する。図３は、容器２０のフランジ部２６の後述する内側部分３０の外方突起部３２を通らないよう切断された蓋付容器１０の断面図であって、図１の線IIIに沿った断面図である。また図４は、容器２０のフランジ部２６の内側部分３０の外方突起部３２を通るよう切断された蓋付容器１０の断面図であって、図１の線IVに沿った断面図である。
【００３７】
図１に示すように、内側部分３０の複数の外方突起部３２はそれぞれ、内側本体部３１の外側端部３１ｅから外側へ突出している。また図１に示すように、複数の外方突起部３２は、一周にわたって周方向に連続的に延びる内側本体部３１の外側端部３１ｅに沿って間隔を空けて並ぶよう配置されている。図１において、外方突起部３２の周方向における端部（以下、周方向端部とも称する）が符号３２ｄで表されている。また、外方突起部３２の周方向における長さ（一対の周方向端部３２ｄ間の、周方向に沿った距離）が符号Ｓ１で表されている。また、周方向において隣接する２つの外方突起部３２の間の、周方向における間隔が符号Ｓ２で表されている。好ましくは、外方突起部３２の周方向における長さＳ１は、周方向において隣接する２つの外方突起部３２の間の間隔Ｓ２よりも大きくなっている。これによって、連結部分４０を破断させることによって蓋５０が取り外された後の容器（開封容器２１）において、使用者が指で外方突起部３２の外側端部３２ｅを挟持して開封容器２１を保持することをし易くすることができる。長さＳ１、および、間隔Ｓ２は、容器２０の全体的な寸法などに応じて適宜定められる。例えば間隔Ｓ２が、１５ｍｍ以下に設定される。このことにより、開封容器２１を保持する際に使用者の指がばりによって傷ついてしまうことをより抑制することができる。
【００３８】
図３において、符号Ｔ１およびＴ２はそれぞれ、内側本体部３１の厚みおよび外側本体部３６の厚みを表している。内側本体部３１の厚みＴ１および外側本体部３６の厚みＴ２は、連結部分４０を破断させる際に内側本体部３１および外側本体部３６が破断したり変形したりしてしまうことを防ぐよう、設定される。例えば、内側本体部３１の厚みＴ１および外側本体部３６の厚みＴ２はそれぞれ、０．５〜２．０ｍｍの範囲内に設定される。
【００３９】
なお図４に示す例においては、外方突起部３２の厚みが内側本体部３１の厚みと同一である例が示されているが、これに限られることはない。蓋５０が取り外された後の容器２０の内側部分３０の外方突起部３２の外側端部３２ｅを使用者が指などで挟持して容器２０を保持することができる限りにおいて、外方突起部３２の厚みが、内側本体部３１の厚みと異なっていてもよい。
【００４０】
図３において、符号Ｗ１およびＷ２はそれぞれ、内側本体部３１および外側本体部３６の幅を表している。外側本体部３６の幅Ｗ２は、容器２０から蓋５０を取り外す際に蓋５０が外側本体部３６から分離されないように、かつ、蓋５０を容器２０に接合させる工程の際に蓋５０を外側本体部３６の上面３６ａ上に容易に位置決めできるように、設定されることが好ましい。例えば外側本体部３６の幅Ｗ２を３ｍｍ以上に設定することが好ましい。このことにより、フランジ部２６の外側部分３５の外側本体部３６に蓋５０を接合するときの製造適性を高めることができ、さらに、容器２０から蓋５０を取り外す際に外側部分３５の外側本体部３６を摘まみやすくすることができる。また、例えば蓋５０のフランジ部２６の外側部分３５の外側本体部３６に接合される幅を３ｍｍ以上に設定することが好ましい。このことにより、初期密封性を担保しやすくすることができ、容器２０から蓋５０を取り外す際に蓋５０が外側部分３５の外側本体部３６から分離されにくくすることができる。
【００４１】
図４において、外方突起部３２の幅が符号Ｗ３で表されている。好ましくは、外方突起部３２の幅Ｗ３は、連結部分４０の一端を外方突起部３２の周方向端部３２ｄに連結することができるよう、設定される。例えば外方突起部３２の幅Ｗ３は、１ｍｍ以上に設定される。
【００４２】
図３および図４において、符号３０ｅは、内側部分３０の外側端部を表している。また符号３５ｅは、外側部分３５の端部のうち内側の端部（以下、内側端部とも称する）を表している。図１の線IIIの部分には、外方突起部３２が存在しないため、図３に示す例においては、内側部分３０の外側端部３０ｅが内側本体部３１の外側端部３１ｅによって構成されている。一方、図１の線IVの部分には、内側本体部３１の外側に外方突起部３２が存在するため、図４に示す例においては、内側部分３０の外側端部３０ｅが外方突起部３２の外側端部３２ｅによって構成されている。図３および図４に示す例において、外側部分３５の内側端部３５ｅは、外側本体部３６の内側端部３６ｅによって構成されている。
【００４３】
本実施の形態において、内側部分３０の内側本体部３１の上面３１ａと、外側部分３５の上面とは、少なくとも部分的に同一平面上に位置している。例えば図３および図４に示すように、内側部分３０の内側本体部３１の上面３１ａと、外側部分３５の外側本体部３６の上面３６ａとが、全域にわたって同一の水平面上に位置している。このため、内側部分３０の内側本体部３１の上面３１ａ上および外側部分３５の外側本体部３６の上面３６ａ上に蓋５０を載置して、熱や超音波を利用した溶着などによって蓋５０をフランジ部２６に接合させる際、蓋５０の下面５０ｂを外側本体部３６の上面３６ａにより均一に接合することができる。すなわち、蓋５０を容器２０のフランジ部２６に安定に接合させることができる。このことにより、容器２０のフランジ部２６と蓋５０との間の接合力が、位置や個体に応じてばらつくことを抑制することができ、初期密封性を高めることができる。
【００４４】
なお「内側部分３０の内側本体部３１の上面３１ａと外側部分３５の上面とが同一平面上に位置する」とは、内側部分３０の内側本体部３１の上面３１ａのうち外側端部３１ｅの、上下方向における位置と、外側部分３５の例えば外側本体部３６の上面３６ａのうち内側端部３６ｅの、上下方向における位置との差が、０．５ｍｍ以下であり、より好ましくは０．２ｍｍ以下であることを意味している。好ましくは、内側部分３０の内側本体部３１の上面３１ａのうち蓋５０の下面５０ｂに接する部分と、外側部分３５の外側本体部３６の上面３６ａのうち蓋５０の下面５０ｂに接する部分とが成す角度が、±３０度以下になっている。
【００４５】
図４に示すように、内側部分３０の外方突起部３２の上面３２ａも、内側部分３０の内側本体部３１の上面３１ａおよび外側部分３５の外側本体部３６の上面３６ａと同一平面上に位置していてもよい。しかしながら、これに限られることはなく、後述するように、外方突起部３２の上面３２ａが内側本体部３１の上面３１ａおよび外側本体部３６の上面３６ａよりも下方に位置するよう、外方突起部３２が設けられていてもよい。
【００４６】
次に図５を参照して、内側部分３０と外側部分３５とを連結する連結部分４０について説明する。図５は、連結部分４０を拡大して示す斜視図であって、図１の符号Vが付された二点鎖線によって囲まれた部分を拡大して示す斜視図である。
【００４７】
連結部分４０は、連結部分４０の一端が、内側部分３０のうち、外方突起部３２の外側端部３２ｅ以外の部分に連結され、かつ連結部分４０の他端が、外側部分３５に連結されるよう、設けられている。例えば図５に示すように、連結部分４０の一端は、内側部分３０の外方突起部３２の周方向端部３２ｄに連結されており、また連結部分４０の他端は、外側部分３５の外側本体部３６の内側端部３６ｅに連結されている。このように連結部分４０を配置することにより、後述するように、連結部分４０を破断させた後に残り得るばりによって使用者の指などが傷ついてしまうことを抑制することができる。
【００４８】
上述のように、連結部分４０は、容器２０から蓋５０を取り外す際に破断される部分である。ところで、連結部分４０の強度が大きすぎると、連結部分４０を破断させるためにフランジ部２６に加えられる力が過剰に大きくなり、この結果、容器２０のうち連結部分４０以外の部分が破断したり変形したりしてしまうことが考えられる。従って連結部分４０は、適度な力で破断し得るよう構成されている。例えば図５に示すように、連結部分４０は、内側部分３０の例えば外方突起部３２の周方向端部３２ｄと、外側部分３５の例えば外側本体部３６の内側端部３６ｅとの間を延びる、部分的に湾曲した管状の形状を有している。管状の連結部分４０の断面が円形の形状を有する場合、連結部分４０の円形の断面の直径は例えば０．２〜１．０ｍｍの範囲内になっている。
【００４９】
容器２０を構成する材料や、容器２０の製造方法は、内側部分３０および外側部分３５が蓋５０の下面５０ｂに接合され得るよう選択される。例えば、樹脂を用いた射出成形によって、底面２２、側面２４およびフランジ部２６を一体的に形成してもよい。容器２０を構成する樹脂としては、例えばポリプロピレン等の熱可塑性樹脂を用いることができる。
【００５０】
（蓋）
次に、容器２０に接合される蓋５０について説明する。蓋５０を構成する材料は、蓋５０の下面５０ｂが内側部分３０および外側部分３５に接合され得るよう、選択される。例えば蓋５０は、基材層と、蓋５０の下面５０ｂを構成するシーラント層と、を含んでいる。蓋５０の厚みは、例えば２０〜１００μｍの範囲内になっている。
【００５１】
基材層を構成する材料としては、ポリエチレンテレフタレートなどのポリエステル系樹脂、ナイロンなどのポリアミド系樹脂や、ポリプロピレン等を用いることができる。またシーラント層を構成する材料としては、ポリプロピレンや、ポリプロピレンおよびポリエチレンの混合樹脂等を用いることができる。なお、基材層およびシーラント層がいずれもポリプロピレンを含む場合、基材層においては二軸延伸ポリプロピレンが用いられ、シーラント層においては無延伸ポリプロピレンが用いられる。
【００５２】
なお上述の「ポリプロピレンおよびポリエチレンの混合樹脂」は、イージーピールシーラントとも称される、比較的小さな接合力を有する材料である。また、蓋５０のシーラント層がポリプロピレンおよびポリエチレンの混合樹脂を含む場合、上述の引張試験機を用いた方法などによって算出される蓋５０とフランジ部２６との間の接合力が、２０Ｎ以下となることが好ましく、１５Ｎ以下となることがより好ましい。一方、蓋５０のシーラント層がポリプロピレン単体によって構成される場合、その接合力は、ポリプロピレンおよびポリエチレンの混合樹脂が用いられる場合に比べて大きくなる。
【００５３】
（蓋付容器の製造方法）
次に、蓋付容器１０の製造方法の一例について説明する。
【００５４】
はじめに、樹脂を用いた射出成形によって、一体的に形成された底面２２、側面２４およびフランジ部２６を有する容器２０を形成する。また、容器２０のフランジ部２６に対応した輪郭を有する蓋５０を準備する。次に、容器２０のフランジ部２６の内側部分３０の内側本体部３１の上面３１ａ上および外側部分３５の外側本体部３６の上面３６ａ上に蓋５０を載置する。その後、蓋５０のうち容器２０のフランジ部２６の内側本体部３１および外側本体部３６と重なる部分を、熱板などを用いて上面５０ａ側から加熱して、蓋５０のシーラント層およびフランジ部２６を溶融させる。これによって、蓋５０を容器２０のフランジ部２６の内側本体部３１の上面３１ａおよび外側本体部３６の上面３６ａに溶着させることができる。このとき、フランジ部２６の下面に受板を配置させるようにしてもよい。この場合、受板は一般には加熱されない。
【００５５】
ここで本実施の形態によれば、上述のように、フランジ部２６の内側部分３０の内側本体部３１の上面３１ａおよび外側部分３５の外側本体部３６の上面３６ａのうち少なくとも蓋５０の下面５０ｂに接する部分は、同一平面上に位置している。このため、内側部分３０の内側本体部３１の上面３１ａと外側部分３５の外側本体部３６の上面３６ａとの間に段差が存在する場合に比べて、蓋５０の下面５０ｂを内側本体部３１の上面３１ａおよび外側本体部３６の上面３６ａにより均一に溶着させることができる。このことにより、容器２０のフランジ部２６と蓋５０との間の接合力が、位置や個体に応じてばらつくことを抑制することができ、初期密封性を高めることができる。
【００５６】
（蓋付容器の開封方法）
次に、蓋付容器１０を開封する方法の一例について説明する。
【００５７】
はじめに、容器２０のフランジ部２６の端部２６ｅの一部に上向きの力を加えて、連結部分４０を部分的に破断させる。その後、容器２０のフランジ部２６の端部２６ｅの一部がさらに上方に持ち上げられるよう外側部分３５に力を加えることにより、連結部分４０を一周にわたって破断させる。これによって、図６に示すように、外側部分３５が接合された状態の蓋５０を容器２０から取り外して、容器２０を開封容器２１とすることができる。なお図８に示すように、内側部分３０の外方突起部３２の周方向端部３２ｄおよび外側部分３５の外側本体部３６の内側端部３６ｅにはそれぞれ、破断された連結部分４０からなるばり４１，４２が残ることもある。なお、図８では、ばり４１とばり４２との間に隙間が存在するように蓋５０が容器２０から取り外された例が示されている。すなわち、連結部分４０の一部が蓋５０および開封容器２１の両方から分離される例が示されている。しかしながら、ばり４１とばり４２との間に隙間が存在しないように、蓋５０が容器２０から取り外されるようにしてもよい。
【００５８】
本実施の形態においては、上述のように、外側部分３５が接合された状態の蓋５０が容器２０から取り外される。その後、外側部分３５が接合された状態の蓋５０を用いて、開封容器２１の開口部２８を再び覆うことができる。例えば、蓋５０に接合された外側部分３５の外側本体部３６が開封容器２１の内側部分３０の外方突起部３２よりも外側に位置するように蓋５０を容器２０に被せることにより、開封容器２１を再封することができる。図７は、外側部分３５が接合された状態の蓋５０によって開封容器２１の開口部２８が覆われている様子を示す図である。本実施の形態においては、図７に示すように、内側部分３０の外方突起部３２の外側端部３２ｅと外側部分３５の外側本体部３６の内側端部３６ｅとが水平方向において対向するように蓋５０が開封容器２１に被せられるので、水平方向において、開封容器２１に対する蓋５０の位置を安定に維持することができる。
【００５９】
また本実施の形態においては、外側部分３５が接合された状態の蓋５０が容器２０から取り外されるので、蓋５０が単体で容器２０から取り外される場合に比べて、蓋５０が変形してしまうこと、例えば蓋５０が湾曲したりカールしたりしてしまうことを抑制することができる。従って、蓋５０を用いて開封容器２１を再封する際に、蓋５０の平坦性をより安定に維持することができる。
【００６０】
また本実施の形態において、フランジ部２６の内側部分３０は上述のように、一周にわたって連続的に容器２０の側面２４に連設された内側本体部３１と、内側本体部３１の外側端部３１ｅよりも外側へ突出するとともに、内側本体部３１の外側端部３１ｅに沿って間隔を空けて並ぶよう配置された複数の外方突起部３２と、を有している。この場合、連結部分４０を破断させて蓋５０を容器２０から取り外した後に使用者が開封容器２１を保持するとき、指によって開封容器２１のフランジ部２６の内側部分３０の外方突起部３２の外側端部３２ｅが挟持されることが考えられる。ここで本実施の形態によれば、連結部分４０の一端は、内側部分３０のうち、外方突起部３２の外側端部３２ｅ以外の部分に連結されている。このため、連結部分４０を破断させた後に開封容器２１に形成され得るばり４１は、内側部分３０のうち、外方突起部３２の外側端部３２ｅ以外の部分に生じるようになる。例えば、連結部分４０の一端が外方突起部３２の周方向端部３２ｄに連結されている場合、図８に示すように、ばり４１が外方突起部３２の周方向端部３２ｄに生じることになる。使用者が開封容器２１を保持する際、使用者の指が外方突起部３２の周方向端部３２ｄに接触する可能性は低い。従って本実施の形態によれば、使用者が開封容器２１を保持する際に使用者の指がばり４１によって傷ついてしまうことを抑制することができる。
【００６１】
なお、上述した実施の形態に対して様々な変更を加えることが可能である。以下、必要に応じて図面を参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００６２】
（外側部分が内方突起部を有する例）
上述の本実施の形態においては、容器２０のフランジ部２６の外側部分３５が、一周にわたって連続的に延びる外側本体部３６からなる例を示した。しかしながら、これに限られることはなく、図９に示すように、外側部分３５は、外側本体部３６に加えて、外側本体部３６の内側端部３６ｅよりも内側へ突出した複数の内方突起部３７をさらに有していてもよい。なお図９並びに後述する図１２および図１４においては、図が煩雑になることを防ぐため、蓋５０を省略した状態の蓋付容器１０の平面図が示されている。なお図９においては、外側本体部３６が、一周にわたって連続的に延び、かつ、複数の内方突起部３７が、一周にわたって連続的に延びる外側本体部３６に沿って間隔を空けて並ぶ例が示されているが、これに限られることはない。外側本体部３６の内側端部３６ｅよりも内側へ突出した複数の内方突起部３７を設けることができる限りにおいて、外側本体部３６として、一周にわたって断続的に延びるものが採用されてもよい。
【００６３】
以下、図９および図１０を参照して、内方突起部３７について詳細に説明する。図１０は、容器２０のフランジ部２６の外側部分３５の内方突起部３７を通るよう切断された蓋付容器１０の断面図であって、図９の線Xに沿った断面図である。
【００６４】
なお本変形例において、容器２０のフランジ部２６の内側部分３０および外側部分３５は、連結部分４０を破断させて蓋５０を容器２０から取り外した後、開封された容器２０（開封容器２１）を蓋５０で再封した状態において、外側部分３５が接合された状態の蓋５０が開封容器２１に対して周方向に回転可能であるよう、構成されている。例えば内側部分３０および外側部分３５は、円形状の輪郭を有している。また、内側部分３０および外側部分３５が円形状以外の輪郭を有する場合であっても、例えば内側部分３０および外側部分３５が多角形状の輪郭を有する場合であっても、内側部分３０の外方突起部３２の外側端部３２ｅと外側部分３５の外側本体部３６の内側端部３６ｅとの間に隙間が空いていれば、外側部分３５が接合された状態の蓋５０が開封容器２１に対して周方向にある程度は回転可能である。従って、外側部分３５が接合された状態の蓋５０が開封容器２１に対して周方向に回転可能とするための、内側部分３０および外側部分３５の輪郭の形状が、円形状に限られることはない。例えば「回転可能」とは、外側部分３５が接合された状態の蓋５０が開封容器２１に対して周方向に、少なくとも２度は回転可能であることを意味している。
【００６５】
図９に示すように、複数の内方突起部３７は、外側本体部３６に沿って間隔を空けて並ぶよう配置されている。図９において、内方突起部３７の周方向における端部（以下、周方向端部とも称する）が符号３７ｄで表されている。また、内方突起部３７の周方向における長さ（一対の周方向端部３７ｄ間の、周方向に沿った距離）が符号Ｓ３で表されている。図９に示すように、外側部分３５の内方突起部３７の周方向における長さＳ３は、内側部分３０の複数の外方突起部３２のうち隣接する２つの外方突起部３２の間の、周方向における間隔Ｓ２よりも小さくなっている。このため、外側部分３５が接合された蓋５０を開封容器２１に被せる際や、外側部分３５が接合された蓋５０を開封容器２１から取り外す際に、内側部分３０の外方突起部３２と外側部分３５の内方突起部３７とが干渉し合うことを防ぐことができる。
【００６６】
複数の外方突起部３２および複数の内方突起部３７は、好ましくは、２つ以上設けられる。また好ましくは、複数の外方突起部３２および複数の内方突起部３７は、平面視において容器２０の中心を通る任意の直線によってフランジ部２６を二等分した場合に、二等分された容器２０の一方に外方突起部３２および内方突起部３７が少なくとも１つずつ存在し、二等分された容器２０の他方にも外方突起部３２および内方突起部３７が少なくとも１つずつ存在するよう、配置されている。これによって、容器２０の再封性をより確実に向上させることができる。
【００６７】
外方突起部３２および内方突起部３７は、開封容器２１に被せられた蓋５０を所定の角度にわたって回転させたときに、外側部分３５の内方突起部３７の上面３７ａが少なくとも部分的に、内側部分３０の外方突起部３２の下面３２ｂよりも下方に位置するよう、構成される。これによって後述するように、上下方向における蓋５０の移動を、開封容器２１の外方突起部３２によって妨げることができる。
【００６８】
上下方向における蓋５０の移動を、開封容器２１の外方突起部３２によって妨げることができる限りにおいて、外方突起部３２に対する内方突起部３７の配置が特に限られることはない。例えば、開封容器２１に被せられた蓋５０を回転させたとき、はじめに、外方突起部３２の一部と内方突起部３７の一部とが接触し、次に、内方突起部３７の上面３７ａが少なくとも部分的に外方突起部３２の下面３２ｂに接触するように内方突起部３７が外方突起部３２に対して相対的に下方に変形するよう、外方突起部３２および内方突起部３７が構成されていてもよい。この場合、蓋５０が容器２０から取り外される前の状態において、外側部分３５の内方突起部３７の上面３７ａが少なくとも部分的に、内側部分３０の外方突起部３２の上面３２ａよりも下方に位置していることが好ましい。
【００６９】
若しくは、開封容器２１に被せられた蓋５０を回転させたとき、外方突起部３２と内方突起部３７とが変形することなく、内方突起部３７の上面３７ａが少なくとも部分的に外方突起部３２の下面３２ｂよりも下方に位置するよう、外方突起部３２および内方突起部３７が構成されていてもよい。例えば図１０に示すように、内方突起部３７は、外側本体部３６の下面３６ｂに連結されており、かつ、内側に向かって水平方向に延びており、これによって、内方突起部３７の下面３７ｂが内側本体部３１の下面３１ｂと同一平面上に位置するようになっている。この場合、図１０には示されていないが、外方突起部３２の下面３２ｂが内側本体部３１の下面３１ｂと上下方向において同一の位置にある場合、内方突起部３７の上面３７ａは外方突起部３２の下面３２ｂと同一平面上に位置することになる。
また図示はしないが、内方突起部３７の上面３７ａが外方突起部３２の下面３２ｂよりも下方に位置していてもよい。すなわち、上下方向において内方突起部３７の上面３７ａと外方突起部３２の下面３２ｂとの間に隙間が存在していてもよい。この場合、隙間が０．５ｍｍ以下になっていることが好ましい。
【００７０】
好ましくは、連結部分４０が破断する前の状態において、外側部分３５の内方突起部３７の上面３７ａは、内側部分３０の内側本体部３１の上面３１ａおよび外側部分３５の外側本体部３６の上面３６ａと同一平面上に、または内側本体部３１の上面３１ａおよび外側本体部３６の上面３６ａよりも下方に位置している。これによって、蓋５０を容器２０のフランジ部２６の内側本体部３１の上面３１ａおよび外側本体部３６の上面３６ａに溶着させる作業が、内方突起部３７によって妨げられてしまうことを防ぐことができる。このことにより、初期密封性を担保しやすくすることができる。
【００７１】
また内方突起部３７は、図９に示すように、内方突起部３７の内側端部３７ｅが少なくとも部分的に、内側部分３０の外方突起部３２の外側端部３２ｅよりも内側に位置するよう、構成されている。例えば、内方突起部３７の内側端部３７ｅと外方突起部３２の外側端部３２ｅとの間の、周方向に直交する方向における距離ｄ（図９参照）は、０．５ｍｍ以上、好ましくは１．０ｍｍ以上になっている。この場合、後述するように、蓋５０によって再封された状態の開封容器２１において、距離ｄにわたって外方突起部３２と内方突起部３７とを当接させることができ、これによって、上下方向における蓋５０の移動を抑制することができる。
【００７２】
次に、本変形例における連結部分４０について説明する。図１１は、図９に示す蓋付容器１０の連結部分４０を拡大して示す斜視図である。
【００７３】
本変形例においても、連結部分４０は、連結部分４０の一端が、内側部分３０のうち、外方突起部３２の外側端部３２ｅ以外の部分に連結され、かつ連結部分４０の他端が、外側部分３５に連結されるよう、設けられている。例えば図１１に示すように、連結部分４０の一端は、内側部分３０の外方突起部３２の周方向端部３２ｄに連結される。これによって、上述の本実施の形態の場合と同様に、開封容器２１の内側部分３０の外方突起部３２の外側端部３２ｅにばり４１が生じるのを防ぐことができ、このことにより、使用者が開封容器２１を保持する際に使用者の指がばり４１によって傷ついてしまうことを抑制することができる。
【００７４】
また本変形例においては、上述のように、外側本体部３６の内側端部３６ｅよりも内側に突出する内方突起部３７が設けられている。この場合、図１１に示すように、連結部分４０の他端を、内方突起部３７の周方向端部３７ｄに連結してもよい。これによって、より単純な形状を有する連結部分４０を用いて、例えば直線状に延びる連結部分４０を用いて、内側部分３０と外側部分３５とを連結することが可能になる。このため、例えば樹脂を用いた射出成形によって容器２０を形成する場合、金型において内側部分３０に対応する部分から連結部分４０に対応する部分を通って外側部分３５に対応する部分へ溶融樹脂が移動する際に溶融樹脂が受ける抵抗をより小さくすることができる。このため、効率良く容器２０を製造することができる。また本変形例によれば、連結部分４０の長さをより短くできる可能性もあり、この点も、効率良く容器２０を製造することに寄与できる。
【００７５】
なお本変形例においても、図示はしないが、上述の本実施の形態の場合と同様に、連結部分４０の他端が外側本体部３６の内側端部３６ｅに連結されていてもよい。また、図示はしないが、連結部分４０の他端が、内方突起部３７のうち周方向端部３７ｄ以外の部分に連結されていてもよい。
【００７６】
〔開封容器の再封方法〕
次に、本変形例による開封容器２１を、蓋５０を用いて再封する方法について説明する。なお、蓋付容器１０を開封する方法は、上述の本実施の形態の場合と同一であるので、説明を省略する。
【００７７】
はじめに、蓋５０に接合されている外側部分３５の内方突起部３７が、開封容器２１の内側部分３０の外方突起部３２と重ならないよう、開封容器２１の上方で、蓋５０に接合された外側部分３５の位置を調整する。次に、蓋５０に接合されている外側部分３５の内方突起部３７が、開封容器２１の内側部分３０の複数の外方突起部３２の間の隙間に配置されるように、蓋５０を開封容器２１に被せる。ここで本変形例によれば、上述のように、外側部分３５の内方突起部３７は、外側部分３５の内方突起部３７の上面３７ａが少なくとも部分的に、内側部分３０の外方突起部３２の下面３２ｂと同一平面上に位置するよう、構成されている。また本変形例によれば、図１２および図１３に示すように、内方突起部３７は、内方突起部３７の内側端部３７ｅが少なくとも部分的に、内側部分３０の外方突起部３２の外側端部３２ｅよりも内側に位置するよう、構成されている。このため図１２および図１３に示すように、蓋５０に接合された外側部分３５の内方突起部３７が開封容器２１の内側部分３０の外方突起部３２と平面視において少なくとも部分的に重なるようになるまで、開封容器２１に被せられた蓋５０を回転させることができる。これによって、図１２および図１３に示す状態の開封容器２１および蓋５０においては、開封容器２１に対して蓋５０を上方に移動させると、蓋５０に接合されている外側部分３５の内方突起部３７が、開封容器２１の内側部分３０の外方突起部３２に当接することになる。すなわち、上下方向における蓋５０の移動が、外方突起部３２と内方突起部３７との当接によって抑制されている。従って、蓋５０が開封容器２１から外れてしまうことを抑制することができる。このため、再封性を向上させることができる。また、蓋５０に接合されている外側部分３５の内方突起部３７の上面３７ａが、開封容器２１の内側部分３０の外方突起部３２の下面３２ｂに接触している場合、周方向における蓋５０の移動を抑制することもできる。
【００７８】
好ましくは、内側部分３０の外方突起部３２または外側部分３５の内方突起部３７の少なくともいずれかには、外側部分３５が接合された状態の蓋５０が開封容器２１に対して周方向に回転することを制限するための係止部が設けられている。この係止部は、係止部が内側部分３０の一部または外側部分３５の一部に当接する位置において、蓋５０に接合された外側部分３５の内方突起部３７が開封容器２１の内側部分３０の外方突起部３２と上下方向において少なくとも部分的に重なるよう、配置される。このような係止部を設けることにより、外方突起部３２と内方突起部３７との当接によって上下方向における蓋５０の移動を抑制することができるようになる位置にまで、開封容器２１に被せられた蓋５０を容易に回転させることができる。すなわち、開封容器２１に被せられた蓋５０の位置決めを容易化することができる。
【００７９】
係止部は、例えば図１２において符号３２ｘが付された黒丸で示すように、外方突起部３２に、より具体的には外方突起部３２の下面３２ｂに設けられ得る。この場合、係止部３２ｘは、外側部分３５の内方突起部３７の上面３７ａよりも下方に位置するよう、形成される。また図示はしないが、係止部は、外側部分３５の内方突起部３７の上面３７ａに設けられていてもよい。この場合、係止部は、内側部分３０の外方突起部３２の下面３２ｂよりも上方に位置するよう、形成される。
【００８０】
（外側部分が内方突起部を有するその他の例）
以下、蓋５０を回転させることによって内方突起部３７が外方突起部３２と平面視において重なるようにし、これによって再封性を向上させる形態の、その他の例について説明する。
【００８１】
〔内方突起部の上面の変形例〕
上述の図９乃至図１３においては、外側部分３５の内方突起部３７の上面３７ａが、内側部分３０の内側本体部３１の上面３１ａや外側部分３５の外側本体部３６の上面３６ａと平行に水平に広がる例を示した。しかしながら、これに限られることはなく、図１４に示すように、外側部分３５の内方突起部３７の上面３７ａは、少なくとも部分的に、内側へ向かうにつれて下方へ傾斜する傾斜面を含んでいてもよい。これによって、開封容器２１に被せられた蓋５０を所定の角度にわたって回転させたときに、内方突起部３７の上面３７ａが内側部分３０の外方突起部３２の下面３２ｂと同一平面上または外方突起部３２の下面３２ｂよりも下方に位置する状態をより容易に実現することができる。なお図１４は、上述の図１０と同様に、容器２０のフランジ部２６の外側部分３５の内方突起部３７を通るよう切断された蓋付容器１０の断面図であって、図９の線Xに沿った断面図である。
【００８２】
〔外方突起部の下面の変形例〕
また図１５に示すように、内側部分３０の外方突起部３２の下面３２ｂは、少なくとも部分的に、外側へ向かうにつれて上方へ傾斜する傾斜面を含んでいてもよい。この場合にも、開封容器２１に被せられた蓋５０を所定の角度にわたって回転させたときに、内方突起部３７の上面３７ａが内側部分３０の外方突起部３２の下面３２ｂと同一平面上または外方突起部３２の下面３２ｂよりも下方に位置する状態をより容易に実現することができる。なお図１５は、上述の図１３と同様に、蓋５０で再封された状態の開封容器２１の断面図であって、図１２のXIIIに沿った断面図である。なお図１５においては、上述の図１４の場合と同様に、外側部分３５の内方突起部３７の上面３７ａが、内側へ向かうにつれて下方へ傾斜する傾斜面を含む例を示した。しかしながら、これに限られることはなく、内側部分３０の外方突起部３２の下面３２ｂは外側へ向かうにつれて上方へ傾斜する傾斜面を含むが、外側部分３５の内方突起部３７の上面３７ａは傾斜面を含まない、という形態が採用されてもよい。
【００８３】
〔内方突起部の上面および下面の変形例〕
上述の図１４においては、内方突起部３７の上面３７ａは傾斜面を含むが、内方突起部３７の下面３７ｂは、外側本体部３６の下面３６ｂと平行に水平に広がる例を示した。しかしながら、これに限られることはなく、図１６に示すように、外側部分３５の内方突起部３７の上面３７ａおよび下面３７ｂのいずれもが、少なくとも部分的に、内側へ向かうにつれて下方へ傾斜する傾斜面を含んでいてもよい。
【００８４】
〔内方突起部の上面の変形例〕
上述の図９乃至図１３においては、連結部分４０の一端が外方突起部３２の周方向端部３２ｄに連結される例を示した。しかしながら、これに限られることはなく、連結部分４０の一端は、内側部分３０のうち外方突起部３２の外側端部３２ｅ以外の部分に連結されていればよい。例えば図１７および図１８に示すように、連結部分４０の一端が、内側部分３０の内側本体部３１の下面３１ｂに連結され、連結部分４０の他端が、外側部分３５の内方突起部３７の内側端部３７ｅに連結されていてもよい。これによって、開封容器２１の内側部分３０の外方突起部３２の外側端部３２ｅにばり４１が生じるのを防ぐことができ、このことにより、使用者が開封容器２１を保持する際に使用者の指がばり４１によって傷ついてしまうことを抑制することができる。
【００８５】
図１９は、一端が内側部分３０の内側本体部３１の下面３１ｂに連結され、他端が外側部分３５の内方突起部３７の内側端部３７ｅに連結された連結部分４０を拡大して示す平面図である。連結部分４０は、好ましくは、連結部分４０の断面積のうち内側部分３０と連結される部分における断面積が最も小さくなるよう、構成される。これによって、内側部分３０との連結面で連結部分４０を破断させやすくすることができる。このため、使用者が開封容器２１を保持する際に使用者の指がばりによって傷ついてしまうことをより抑制することができる。
【００８６】
より好ましくは、連結部分４０の断面積のうち、内側部分３０と連結される部分における断面積が最も小さくなり、外側部分３５と連結される部分における断面積が最も大きくなり、かつ、内側部分３０から外側部分へ向かうにつれて連結部分４０の断面積が次第に大きくなるよう、連結部分４０が構成される。図１９において、符号ｋ１は、内側部分３０の内側本体部３１の外側端部３１ｅにおける連結部分４０の幅を表し、符号ｋ２は、外側部分３５の内方突起部３７の内側端部３７ｅにおける連結部分４０の幅を表している。好ましくは、連結部分４０の幅は、内側部分３０から外側部分へ向かうにつれて次第に大きくなっている。
【００８７】
〔外方突起部および内方突起部の配置の変形例〕
上述の図９においては、外方突起部３２および内方突起部３７がそれぞれ８つ設けられる例を示した。しかしながら、これに限られることはなく、図２０に示すように、外方突起部３２および内方突起部３７がそれぞれ３つ設けられていてもよい。この場合、外方突起部３２の周方向における長さＳ１を大きく確保することができる。このため、係止部３２ｘを、外方突起部３２の周方向における端部３２ｄから十分に離れた位置に、例えば外方突起部３２の一対の端部３２ｄの中間位置に設けることができる。従って、開封容器２１に被せられた蓋５０を回転させるとき、蓋５０に接合されている内方突起部３７の周方向における端部３７ｄが外方突起部３２の一対の端部３２ｄの中間位置に到達するまで、蓋５０を右方向および左方向の両方に回転させることができる。このため、蓋５０の使い勝手を向上させることができる。例えば、右利きの使用者および左利きの使用者のいずれもが、蓋５０を任意の方向に容易に回転させることができる。
なお本変形例のように、外方突起部３２の周方向における長さＳ１が大きく確保されている場合、係止部３２ｘが設けられていなくても、内方突起部３７が外方突起部３２と平面視において重なる状態を容易に実現することができる。この点でも、本変形例は、蓋５０の使い勝手を向上させることができると言える。
【００８８】
（外側部分が内方突起部を有するその他の例）
上述の図９乃至図２０においては、蓋５０を開封容器２１に対して回転させることによって、外方突起部３２と内方突起部３７とが上下方向において重なる状態（以下、嵌合状態とも称する）、および、外方突起部３２と内方突起部３７とが上下方向において重ならない状態（以下、非嵌合状態とも称する）の両方を蓋５０がとり得る例を示した。しかしながら、これに限られることはなく、蓋５０の回転位置に依らず常に嵌合状態となるよう、外方突起部３２および内方突起部３７が構成されていてもよい。例えば内方突起部３７は、外側本体部３６に沿って一周にわたって連続的に延びていてもよい。この場合であっても、蓋５０を開封容器２１に被せる際に内方突起部３７を変形させること等によって、外側部分３５が接合された蓋５０を用いて開封容器２１を再封することができる。また、嵌合状態を実現することによって、蓋５０が開封容器２１から外れてしまうことを抑制することができる。
【００８９】
蓋５０の回転位置に依らず常に嵌合状態となるよう、外方突起部３２および内方突起部３７が構成される場合、図２１に示すように、内方突起部３７の上面３７ａは、内側へ向かうにつれて下方へ傾斜する傾斜面を含んでいてもよい。これによって、外側部分３５が接合された蓋５０を用いて開封容器２１を再封する作業を容易化することができる。なお、蓋５０を開封容器２１に対して回転させることによって、嵌合状態および非嵌合状態の両方を取り得る形態の場合にも、上述の図１４〜図１６において既に説明したように、内方突起部３７の上面３７ａが傾斜面を含むこともある。
【００９０】
（外側部分が補強部を有する例）
図２２に示すように、外側部分３５は、内側部分３０の内側本体部３１の下面３１ｂよりも下方に位置する補強部３８を有していてもよい。このような補強部３８を設けることにより、外側部分３５の剛性を高めることができる。これによって、容器２０から取り外された後の蓋５０が湾曲したりカールしたりしてしまうことをさらに抑制することができる。このため、再封性を向上させることができる。また、蓋付容器１０を開封するために連結部分４０を破断させる際、外側部分３５のうち補強部３８が設けられている部分を指などで摘まみ易くすることができる。このため、蓋付容器１０の開封性を向上させることができる。このような補強部３８は、上述の本実施の形態および各変形例における外側部分３５のいずれにも追加で設けられ得る。
【００９１】
（外側部分が補強部を有するその他の例）
上述の補強部３８は、図２２に示す場合よりも内側に設けられていてもよい。例えば補強部３８は、内方突起部３７に接していてもよい。言い換えると、内方突起部３７が補強部３８に設けられていてもよい。この場合、蓋５０を開封容器２１に被せる際に補強部３８の内側端部３８ｅが内側部分３０の内側本体部３１の外側端部３１ｅや外方突起部の外側端部３２ｅに当接することによって、補強部３８の内側端部３８ｅが、蓋５０を下方へ導くガイドとして機能することができる。このため、再封作業をし易くすることができる。なお、補強部３８にガイドとしての機能を効果的に発現させるためには、補強部３８の長さＬを２ｍｍ以上とすることが好ましい。また図２３に示すように、補強部３８の内側端部３８ｅに、外側へ向かうにつれて下方へ傾斜する傾斜面を設けてもよい。このことにより、さらに再封作業をしやすくすることができる。このような補強部３８は、上述の本実施の形態および各変形例における外側部分３５のいずれにも追加で設けられ得る。
【００９２】
（外側部分が壁部を有する例）
図２４に示すように、外側部分３５は、内側部分３０の内側本体部３１の上面３１ａよりも上方に位置するとともに蓋５０よりも外側に位置する壁部３９を有していてもよい。このような壁部３９を設けて蓋付容器１０の蓋５０を外側から囲うことにより、故意や過失によって蓋付容器１０の蓋５０が容器２０のフランジ部２６の外側部分３５から剥がされてしまうことを抑制することができる。また、上述の補強部３８の場合と同様に、壁部３９を設けることによって外側部分３５の剛性を高めることができる。これによって、容器２０から取り外された後の蓋５０が湾曲したりカールしたりしてしまうことをさらに抑制することができる。また、蓋付容器１０を開封するために連結部分４０を破断させる際、外側部分３５のうち壁部３９が設けられている部分を指などで摘まみ易くすることができる。このため、蓋付容器１０の開封性を向上させることができる。
【００９３】
（内側部分の外方突起部の変形例）
上述の本実施の形態および各変形例においては、外方突起部３２の上面３２ａが内側本体部３１の上面３１ａと同一平面上に位置する例を示した。しかしながら、これに限られることはなく、図２５に示すように、外方突起部３２の上面３２ａが内側本体部３１の上面３１ａおよび外側本体部３６の上面３６ａよりも下方に位置するよう、外方突起部３２が設けられていてもよい。これによって、蓋５０を加熱して蓋５０を容器２０のフランジ部２６の内側本体部３１の上面３１ａおよび外側本体部３６の上面３６ａに溶着させる際に、蓋５０が外方突起部３２にも溶着されてしまうことを抑制することができる。このため、内側部分３０と蓋５０との間の接合力を、外側部分３５と蓋５０との間の接合力に比べてより小さくすることができる。このことにより、蓋付容器１０の開封性を向上させることができる。
【００９４】
なお、上述した実施の形態に対するいくつかの変形例を説明してきたが、当然に、複数の変形例を適宜組み合わせて適用することも可能である。例えば図２６に示すように、外側部分３５は、外側本体部３６に加えて、外側本体部３６の内側端部３６ｅよりも内側へ突出した内方突起部３７と、内側部分３０の内側本体部３１の下面３１ｂよりも下方に位置する補強部３８と、内側部分３０の内側本体部３１の上面３１ａよりも上方に位置するとともに蓋５０よりも外側に位置する壁部３９と、を有していてもよい。
【００９５】
（その他の変形例）
また上述の本実施の形態においては、蓋５０が容器２０のフランジ部２６に溶着されている例を示した。しかしながら、蓋付容器１０の十分な密封性を確保し、また外側部分３５が、蓋５０とともに容器２０のその他の部分から取り外されることができる限りにおいて、蓋５０が容器２０のフランジ部２６に接合させるための手段が溶着に限られることはない。例えば接着剤などの、容器２０および蓋５０とは別個の構成要素を用いて、蓋５０を容器２０に取り付けてもよい。
【符号の説明】
【００９６】
１０  蓋付容器
２０  容器
２１  開封容器
２２  底面
２４  側面
２６  フランジ部
２６ｅ  端部
３０  内側部分
３１  内側本体部
３１ａ  上面
３１ｂ  下面
３１ｅ  外側端部
３２  外方突起部
３２ａ  上面
３２ｂ  下面
３２ｄ  周方向端部
３２ｅ  外側端部
３２ｘ  係止部
３５  外側部分
３６  外側本体部
３６ａ  上面
３６ｂ  下面
３６ｅ  内側端部
３７  内方突起部
３７ａ  上面
３７ｂ  下面
３７ｄ  周方向端部
３７ｅ  内側端部
３８  補強部
３９  壁部
４０  連結部分
４０ａ  上面
４０ｂ  下面
４１  ばり
４２  ばり
５０  蓋
【図１】
0006528986.tif 000002
【図２】
0006528986.tif 000003
【図３】
0006528986.tif 000004
【図４】
0006528986.tif 000005
【図５】
0006528986.tif 000006
【図６】
0006528986.tif 000007
【図７】
0006528986.tif 000008
【図８】
0006528986.tif 000009
【図９】
0006528986.tif 000010
【図１０】
0006528986.tif 000011
【図１１】
0006528986.tif 000012
【図１２】
0006528986.tif 000013
【図１３】
0006528986.tif 000014
【図１４】
0006528986.tif 000015
【図１５】
0006528986.tif 000016
【図１６】
0006528986.tif 000017
【図１７】
0006528986.tif 000018
【図１８】
0006528986.tif 000019
【図１９】
0006528986.tif 000020
【図２０】
0006528986.tif 000021
【図２１】
0006528986.tif 000022
【図２２】
0006528986.tif 000023
【図２３】
0006528986.tif 000024
【図２４】
0006528986.tif 000025
【図２５】
0006528986.tif 000026
【図２６】
0006528986.tif 000027